(57)【要約】  少なくとも１つの光源１１と；反射面２２及び縁部（第１エッジ）２１を有し、該第１エッジが第１エッジ２１に隣接する領域を通過する光線の光カットオフを形成する反射部材２０と；縁部（第２エッジ）３１を有し、光線の照明特性を修正するように構成された光修正部材３０とを有する照明装置に関するものである。光修正部材３０は、反射部材２０から上記第２エッジ３１まで、上記領域を通過する光線の一部を受けるように定められた表面積にわたり延在する。上記第２エッジは、光修正部材３０が、前記光線の一部のうち、第１エッジ２１の近傍を通過する光線を、該第１エッジ２１の近傍から一層遠くを通過する光線より一層比例的に多く修正するように設計される。また、本発明は上記光修正部材３０自体にも関するものである。
2013524456.tif 000002
【特許請求の範囲】
【請求項１】
少なくとも１つの光源と、
反射面及び第１エッジを有し、前記第１エッジが該第１エッジに隣接する領域を通過する光線の光カットオフを形成する反射部材と、
第２エッジを有し、光線の照明特性を修正する光修正部材であって、前記反射部材から該第２エッジまで、前記領域を通過し且つ前記反射面により反射されない光線の一部を受けるように定められた表面積にわたり延在する光修正部材と、
を有し、前記第２エッジは、前記光修正部材が前記光線の前記一部のうち、前記第１エッジの近傍を通過する光線を、該第１エッジの近傍から一層遠くを通過する光線より一層比例的に多く修正する照明装置。
【請求項２】
前記光修正部材が、前記第１エッジの少なくとも一部に沿って、又は前記反射面上の前記第１エッジから等距離のラインに沿って延在する請求項１に記載の照明装置。
【請求項３】
前記光修正部材は、前記第２エッジにより境界が定められると共に対応する透光領域により互いに隔てられた複数の光修正エレメントを有し、前記透光領域の各々は第１端及び該第１端とは反対側の第２端を有し、前記第１端は、
−  前記第２端より前記反射面に近く、且つ、
−  前記第２端より小さい、
請求項１に記載の照明装置。
【請求項４】
前記透光領域の少なくとも１つの形状が、完全な三角形であるか、又は前記第１端である丸められた頂点を持つ三角形である請求項３に記載の照明装置。
【請求項５】
前記透光領域の少なくとも１つの少なくとも一部が、当該透光領域の前記第１端から当該透光領域の前記第２端に向かって漸進的に幅広となる請求項３に記載の照明装置。
【請求項６】
前記光修正部材は前記反射部材に固定され又は取り付けられ又は組み付けられた基部を有し、前記光修正エレメントが該基部から前記反射部材の外方に延在する請求項３に記載の照明装置。
【請求項７】
前記光修正エレメントの少なくとも１つは第１端及び該第１端とは反対側の第２端を有し、該光修正エレメントの前記第１端は、
−  前記光修正エレメントの前記第２端より前記反射面に近く、且つ、
−  前記光修正エレメントの前記第２端より大きい、
請求項３に記載の照明装置。
【請求項８】
前記光修正エレメントの少なくとも１つの形状が、完全な三角形であるか、又は前記第２端である丸められた頂点を持つ三角形である請求項７に記載の照明装置。
【請求項９】
前記光修正エレメントは前記反射部材から外方に主光方向に対して０度と９０度との間の範囲内の角度に従って延び、該主光方向は、放出される光線の光の強度が最大である方向である請求項３に記載の照明装置。
【請求項１０】
光源のアレイを有し、これら光源は幅"ｅ"を各々有すると共に距離"ｈ"により互いに隔てられたＬＥＤチップであり、前記光修正エレメントの少なくとも一部は約"ｈ"の長さにわたり前記反射部材から外方に延びると共に約"ｅ"の幅を有する請求項３に記載の照明装置。
【請求項１１】
前記光修正エレメントの各々の表面積が、前記透光領域（ギャップ）の各々の表面積と同様のものである請求項３に記載の照明装置。
【請求項１２】
前記光源の１つにより第１方向に放出される非反射光の量は、当該光源により第２方向に放出される非反射光の量より大幅に少なく、これら２つの方向の間に光カットオフが存在し、前記光修正部材の前記第２エッジが該光カットオフを漸進的に滑らかにする請求項１に記載の照明装置。
【請求項１３】
複数の光源を有し、
−  前記複数の光源のうちの少なくとも１つの光源により第１方向に放出される非反射光の量は、この少なくとも１つの光源により第２方向に放出される非反射光の量とは第１差分値だけ相違し、
−  前記複数の光源のうちの少なくとも１つの他の光源により前記第１方向に放出される非反射光の量は、この少なくとも１つの他の光源により前記第２方向に放出される非反射光の量とは第２差分値だけ相違し、
前記第１差分値は前記第２差分値より大幅に大きく、これら２つの方向の間に光カットオフが存在し、前記光修正部材の前記第２エッジは、この光カットオフを漸進的に滑らかにする請求項１に記載の照明装置。
【請求項１４】
前記光修正部材が、前記光線の一部を吸収し及び／又は拡散させる請求項１に記載の照明装置。
【請求項１５】
照明装置の反射部材に固定され、取り付けられ又は組み付けられる光修正部材であって、前記照明装置は、
少なくとも１つの光源、
を有し、
前記反射部材は反射面及び第１エッジを有し、前記第１エッジは該第１エッジに隣接する領域を通過する光線の光カットオフを形成し、
第２エッジを有する当該光修正部材は、前記反射部材から該第２エッジまで、前記第１エッジに隣接する領域を通過し且つ前記反射面により反射されない光線の一部を受けるように定められた表面積にわたり延在して、光線の照明特性を修正し、
前記第２エッジは、前記光修正部材が前記光線の前記一部のうち、前記第１エッジの近傍を通過する光線を、該第１エッジの近傍から一層遠くを通過する光線より一層比例的に多く修正するように構成される、
光修正部材。
【発明の詳細な説明】
【技術分野】
【０００１】
本発明は、
−  １個又は数個のＬＥＤ等の、少なくとも１つの光源と、
−  反射面及び第１エッジ（縁部）を有する反射器（反射部材）であって、上記第１エッジが該第１エッジの近傍を通過する光線の光カットオフ部を形成すると共に、典型的には当該反射器の光出口を形成するような反射器と、
を有する照明器具又は照明装置に関する。
【０００２】
前記光源は、通常、前記反射器内に配置され、該反射器は、前記光源により放出された光を、該放出された光線を前記光カットオフ部により制限される領域を照明すべく特定の方向に指向させるように反射するよう構成されている。
【背景技術】
【０００３】
このような反射器で遭遇する問題は、照明すべき領域の限界部又はエッジにおいて光のコントラストが、しばしば、高過ぎること、及び／又は特に複数の点状光源が使用された場合に、カットオフ方向の近傍で光が均一でないということである。結果として、照明効果が心地よくなく及び／又は審美的でなくなり、特にアクセント照明又はスポット照明用途に対して問題となる。
【０００４】
カットオフ方向の近傍において光ビームを滑らかにするために、幾つかのレンズを付属品として使用することが知られており、これらレンズは、典型的には、当該反射器の出口に設けられる。
【０００５】
例えば、米国特許第4,506,316号、第5,199,787号及び第7,040,789号は、光カットオフ方向の近傍を通過する光線を偏位させるための複数のテーパが付けられた光学エレメントを有する環状部が設けられた円盤状レンズを開示している。
【０００６】
しかしながら、この技術を用いた場合、照明されるべき領域の限界部は十分には制御することができず、照明効果を最適化することはできない。
【発明の概要】
【発明が解決しようとする課題】
【０００７】
本発明の目的は、照明されるべき領域の寸法及び形状に対する制御を最適にすると共に光損失を制限しながら、前記反射器のエッジ（縁部）により生成される、照明すべき領域の光カットオフ領域を滑らかにすることである。
【０００８】
"光カットオフ領域"とは、
−  照明すべき領域内、及び／又は
−  非反射光線により横切られる体積内、
に位置し、当該光が、前記反射部材の光カットオフエッジにより、観察者にとり照明の不均一性が見え得るように妨害されるような領域（又は複数の領域）を意味する。
【０００９】
本発明の他の目的は、特に複数の個別の光源（例えば、ＬＥＤのアレイ）が使用される場合に現れるような、照明すべき領域の光カットオフ領域における斯かる不快な光の不均一性を除去又は減少させることである。確かに、これらの光源の不連続性により、光カットオフ領域は、各々が隣接する副領域に対して固有の光カットオフを有するような、幾つかの不連続な光の副領域（即ち、幾つかの光の段差）を示す。
【００１０】
本発明の他の目的は、光カットオフ領域における光のコントラストを減少させることである。
【課題を解決するための手段】
【００１１】
上記課題を解決するため、本発明は、第１態様によれば、照明装置であって、
−  少なくとも１つの光源と、
−  反射面及び縁部（第１エッジ）を有し、前記第１エッジが該第１エッジに隣接する領域を通過する光線の光カットオフを形成する反射部材と、
−  光線の照明特性（又は複数の照明特性）を修正する光修正部材と、
を有する照明装置を提案する。
【００１２】
本発明の第１実施例によれば、前記光修正部材は縁部（第２エッジ）を有し、前記光修正部材は前記反射部材から該第２エッジまで、（ｉ）前記領域を通過すると共に（ii）前記反射部材により反射されない光線の一部を受けるように画定される表面積にわたり延在する。前記第２エッジは、前記光修正部材が、前記光線の前記一部のうち、前記第１エッジの近傍を通過する光線を、該第１エッジの近傍から一層遠くを通過する光線より一層比例的に多く修正するように設計される。
【００１３】
言い換えると、前記第２エッジは、前記光線が前記第１エッジの一層近くを通過するほど、修正される光線の量が多くなるように設計される。従って、当該光修正部材を使用する場合、光の強度は前記光カットオフ領域において一層漸進的に変化する。結果として、この光修正部材は該光カットオフを滑らかにする。
【００１４】
有利には、前記第１エッジに隣接する前記領域が、光カットオフ領域である。
【００１５】
更に、前記光修正部材は、この光カットオフ領域における光線に対してのみ作用し、他の光線は如何なる妨害も無しに当該照明装置から出射するままとする。従って、この光修正部材は当該照明装置により放出される光りの殆どは修正することはなく、該照明装置の全体的効率は、それに応じて、最適化される。
【００１６】
更に、本発明は、反射部材を変更すること無しに、光修正部材の第２エッジの設計又は形状を単に適合させることによって、光の修正の容易な制御を可能にする。
【００１７】
オプションとして、前記光修正部材は、前記第１エッジの少なくとも一部に沿って延在し、斯かる一部を覆い、又は斯かる一部に隣接する。このことは、前記反射部材の全体の変更をすることなく、当該照明装置に該光修正部材を追加することのみによる、この第１エッジの少なくとも一部の前記第２エッジによる置換と等価である。従って、光カットオフは、前記反射器を修正又は交換することなく、且つ、反射部材を取り付けることが可能な保持構造から該反射部材を必然的に外すことなく、容易に滑らかにすることができる。このことは、反射器が既に取り付けられており、容易に接近し及び／又は容易に取り外すことができない場合に特に有利である。
【００１８】
他の例として、前記光修正部材は前記反射面上の前記第１エッジから等距離と定められたラインに沿って延在することもできる。この特別な実施例は、前記光修正部材を前記反射部材内に設け、従って上記実施例におけるよりも見えにくくすることを可能にする。該光修正部材は、前記反射部材内に直に、又は前記反射部材の２つの副部分間に取り付けることができる。
【００１９】
単独での又は前記第１実施例と組み合わされた本発明の第２実施例によれば、前記光修正部材は、前記第２エッジにより境界が定められると共に対応する透光領域により互いに隔てられた複数の光修正エレメントを有し、前記透光領域の各々は第１端及び該第１端とは反対側の第２端を有し、前記第１端は、
−  前記第２端より前記反射面に近く、且つ、
−  前記第２端より小さい。
【００２０】
前記透光領域の少なくとも１つの形状は、完全な三角形であるか、又は前記第１端である丸められた頂点を持つ三角形である。他の例として又は組み合わせとして、前記透光領域の少なくとも１つは、当該透光領域の前記第１端から当該透光領域の前記第２端に向かって漸進的に幅広となる。
【００２１】
オプションとして、前記光修正部材は前記反射部材に固定され又は取り付けられ又は組み付けられた基部を有することができ、前記光修正エレメントは該基部から前記反射部材の外方に延在する。
【００２２】
単独での、又は前記第１及び／又は第２実施例と組み合わされた本発明の第３実施例によれば、前記光修正エレメントの少なくとも１つは第１端及び該第１端とは反対側の第２端を有し、上記第１端は、
−  上記第２端より前記反射面に近く、且つ、
−  上第２端より大きい。
【００２３】
上記光修正エレメントの少なくとも１つの全体的形状は、完全な三角形であるか、又は上記第２端が丸められた三角形である。他の例として又は組み合わせとして、前記光修正エレメントは前記反射部材から外方に主光方向に対して０度と９０度との間の範囲内の角度に従って延び、該主光方向は、それに沿って前記光源（又は複数の光源）により放出される光の強度が他の方向に対して最大化されるような方向である。
【００２４】
オプションとして、当該照明装置は、光源のアレイを有し、これら光源は幅"ｅ"を各々有すると共に距離"ｈ"により互いに隔てられたＬＥＤのチップであり、前記光修正エレメントの少なくとも一部は約"ｈ"の長さにわたり前記反射部材から外方に延びると共に約"ｅ"の幅を有する。
【００２５】
オプションとして、各光修正エレメントの表面積は各ギャップの表面積と同様のものである。結果として、当該照明は、照明される表面積の中心の周りで一層均一となる。
【００２６】
オプションとして、当該照明装置は、前記光源の１つにより第１方向に放出される非反射光の量が、同じ光源により第２方向に放出される非反射光の量より大幅に少なくなるように構成され、これら２つの方向の間に光カットオフが存在し、前記光修正部材の前記第２エッジは該光カットオフを漸進的に滑らかにするように設計される。
【００２７】
オプションとして、当該照明装置は複数の光源を有すると共に、
−  前記複数の光源のうちの少なくとも１つの光源により第１方向に放出される非反射光の量が、この少なくとも１つの光源により第２方向に放出される非反射光の量とは第１差分値だけ相違し、
−  前記複数の光源のうちの少なくとも１つの他の光源により前記第１方向に放出される非反射光の量が、この少なくとも１つの他の光源により前記第２方向に放出される非反射光の量とは第２差分値だけ相違する、
ように構成され、
【００２８】
前記第１差分値は前記第２差分値より大幅に大きく、これら２つの方向の間に光カットオフが存在し、前記光修正部材の前記第２エッジは、この光カットオフを漸進的に滑らかにするように設計される。
【００２９】
オプションとして、前記光修正部材は、前記光線の一部を吸収し及び／又は拡散させて、前記第１エッジの近傍を通過するのを防止する。
【００３０】
第２態様によれば、本発明は、照明装置の反射部材に固定され、取り付けられ又は組み付けられる光修正部材であって、前記照明装置が、
−  少なくとも１つの光源、
を有し、
前記反射部材が、反射面及び縁部（第１エッジ）を有し、この第１エッジは該第１エッジに隣接する領域を通過する光線の光カットオフを形成し、
【００３１】
縁部（第２エッジ）を有する当該光修正部材は、前記反射部材から該第２エッジまで、前記第１エッジに隣接する領域を通過し且つ前記反射面により反射されない光線の一部を受けるように定められた表面積にわたり延在して、光線の照明特性を修正するように構成され、前記第２エッジは、前記光修正部材が前記光線の前記一部のうち、前記第１エッジの近傍を通過する光線を、該第１エッジの近傍から一層遠くを通過する光線より一層比例的に多く修正するように設計される、
光修正部材を提案する。
【図面の簡単な説明】
【００３２】
【図１】図１は、本発明による照明装置の分解図である。
【図２Ａ】図２Ａは、本発明による光修正部材の斜視図である。
【図２Ｂ】図２Ｂは、本発明の或る特別な実施例による光修正部材の一部の上面図である。
【図２Ｃ】図２Ｃは、本発明の他の特別な実施例による光修正部材の一部の上面図である。
【図２Ｄ】図２Ｄは、本発明の他の特別な実施例による光修正部材の一部の上面図である。
【図２Ｅ】図２Ｅは、本発明の他の特別な実施例による光修正部材の一部の上面図である。
【図３】図３は、本発明の第１実施例による光修正部材を備えた照明装置の一部の斜視図であり、放出された非反射光線の少なくとも一部が当該光修正部材の１つのエレメントに入射するのを示している。
【図４】図４は、本発明の第２実施例による光修正部材を備えた照明装置の一部の斜視図であり、放出された非反射光線の少なくとも一部が当該光修正部材の１つのエレメントに入射するのを示している。
【図５】図５は、本発明の第３実施例による光修正部材を備えた照明装置の一部の斜視図であり、放出された非反射光線の少なくとも一部が当該光修正部材の１つのエレメントに入射するのを示している。
【図６】図６は、本発明の第４実施例による光修正部材を備えた照明装置の一部の斜視図であり、放出された非反射光線の少なくとも一部が当該光修正部材の１つのエレメントに入射するのを示している。
【図７Ａ】図７Ａは、９個のＬＥＤのアレイの上面図である。
【図７Ｂ】図７Ｂは、本発明による光修正部材の一部の側面図である。
【図８】図８は、光修正部材が如何にして３つのＬＥＤのアレイをマスクすることができるかの概念図である。
【図９Ａ】図９Ａは、本発明による照明装置の第１の斜視図である。
【図９Ｂ】図９Ｂは、本発明による照明装置の第２の斜視図である。
【図９Ｃ】図９Ｃは、本発明による照明装置の第３の斜視図である。
【図１０Ａ】図１０Ａは、図１によるものであるが、光修正部材を備えない照明装置から測定される、異なる角度（ｘ軸）にわたる光出力の正規化された強度（ｙ軸）のグラフであり、これら角度のゼロ基準は当該照明装置の主光軸に対応する。
【図１０Ｂ】図１０Ｂは、図１０Ａのグラフの部分３であり、同一の照明装置ではあるが光修正部材を備えた照明装置に関する他のグラフの部分と比較している。
【発明を実施するための形態】
【００３３】
図１は本発明による照明装置４０を示し、該照明装置は、
−  光源アセンブリ１０と、
−  反射面２２及び第１縁部（第１エッジ）２１を有する反射器２０と、
−  光線の照明特性（又は複数の照明特性）を修正するように構成された光修正部材３０と、
を有している。
【００３４】
光源アセンブリ１０は、１つ又は複数の光源を有することができる。複数の光源は、ライン上に、面上に又は体積にわたり延在することができる。光源は、白熱ランプ、ハロゲンランプ、高輝度放電（所謂、ＨＩＤ）ランプ又は発光ダイオード（ＬＥＤ）等の如何なる種類の光源とすることもできる。光源アセンブリ１０は、電源への及びオプションとして照明コントローラへの電気的及び／又は電子的経路を備えた、光源の単一の又は複数の支持体を有することができる。回路基板が、この照明コントローラを有することができる。ＬＥＤからの熱を放散するために、当該ＬＥＤ又は上記回路基板の下にヒートシンク又は何らかの他の冷却システムを設けることができる。光源アセンブリ１０は、当該光源により放出される光を再指向させるように設計された、例えばレンズ等の一次光学系を更に有することができる。光源アセンブリ１０は、当該光源上に、又は当該光源と上記一次光学系との間に、又は該一次光学系上に設けられた例えば拡散エレメント（例えば、拡散コーティング若しくは膜、又は拡散パネル）等の幾つかの追加の構成部品を更に有することができる。
【００３５】
図１に示された例において、光源アセンブリ１０は、回路基板及び／又はヒートシンクに固定され、一次光学エレメント（複数の基本レンズを有する）により覆われたＬＥＤのアレイを有している。この光源アセンブリ１０は、稠密実装解決手段（closed pack solution）、即ち小型の光源アセンブリ１０を提供する解決手段、として構成することができる。このような稠密実装解決手段は、ＬＥＤを回路基板上に又はヒートシンク上に実装するためにリフロー半田付け技術を使用することにより実施することができる。当該アレイは正方形、長方形、円形、楕円形又は如何なる他の構成とすることもできる。各ＬＥＤは、光点として又は小さな光のスポットとして見ることができる。この稠密実装解決策は、限られた表面上に高密度の発光を有することを可能にし、より小型の照明装置４０となる。
【００３６】
反射器２０は、閉型又は開型とすることができる。
【００３７】
図１の例では、反射器２０は閉型であり、主光軸１００を有している。
【００３８】
この主光軸１００は、反射器２０の対称軸として、又は光の対称軸として、又はそれに沿って放出光の強度が最大となるような軸として定義することができる。主光方向１００は、該主光軸１００と同一であるが、光源から外側に向けられたものとなる。
【００３９】
この反射器２０は、如何なる形状のものとすることもできる。例えば、反射器２０は概ね半球状、放物状又は先細り形状とすることができる。また、反射器２０は、（主光軸１００に対し直角に見て）正方形、長方形、円形、楕円形、三角形又は如何なる他の断面形状を有することもできる。反射器２０の反射面２２は連続的なもの又は複数の平らなファセットから形成される（図１に示されるように）ものとすることができる。
【００４０】
図１に示される例において、反射器２０の光出口は第１エッジ２１により制限される。この光出口は、例えば正方形、長方形、円形、楕円形又は三角形形状等の如何なる形状を有することもできる。オプションとして、鍔部（フランジ）２３が、上記第１エッジ２１から、前記主光軸１００に直交すると共に該主光軸から外方に向かって延在することができる。
【００４１】
反射器２０の底部２４には、前記光源アセンブリ１０を内部に収容するための開口を設けることができる。他の例として、光源アセンブリ１０は反射器２０内に設ける一方、該光源アセンブリ１０に対する電気的接続を可能にするために該反射器２０の底部２４に貫通口を設けることもできる。
【００４２】
光修正部材３０は、前記第１エッジ２１の少なくとも一部に沿って（図１に示されるように）、従って前記光出口の少なくとも一部の周囲に延在することができる。オプションとして、他の反射部材（図示略）を当該反射器２０上に追加することができ、光修正部材３０は、これらの境界に配置される。
【００４３】
他の例として、光修正部材３０は、第１エッジ２１に対して等距離であると定義される反射面２２上のライン（図示略）に沿って延在することもできる。
【００４４】
光修正部材３０は、当該照明装置４０に付加される付属部品とすることができるか、又は反射器２０と一体にすることができる。
【００４５】
光修正部材３０は反射器２０に対して、接着により、機械的固定手段（例えば、ネジ、ボルト／ナット等）により、半田付けにより、又は該光修正部材３０を取り付け若しくは固定するための他の関連する種類の手段により、固定又は取り付けることができる。
【００４６】
光修正部材３０は、光カットオフ領域において、当該反射器の第１エッジ２１の近傍を通過する光線の一部の照明特性（又は複数の照明特性）を修正するように構成される。
【００４７】
このような趣旨で、光修正部材３０は光吸収特性、光拡散特性及び／又は光反射特性を有することができる。斯様な部材３０のために選択される材料は、半透明（translucent）ポリマ、少なくとも１つのテクスチャ加工された表面を備える透明ポリマ、テクスチャ加工された領域を備える透明ガラス、又はこれらの組み合わせとすることができる。
【００４８】
光修正部材３０は、光線のうちの該光修正部材３０により修正される前記部分が、第１エッジ２１の一層近傍を通過する幾らかの光線に対して、該第１エッジ２１の近傍より一層遠くを通過する幾らかの他の光線に対してよりも大きくなるように設計された縁部（"第２エッジ"）３１を有している。好ましくは、光修正部材３０は、第１エッジ３１の光カットオフ領域に延在して該領域の下流側の光を滑らかにする複数の光修正エレメント３２を有する。
【００４９】
図２は本発明による斯かる光修正部材３０の一例を示し、該光修正部材は反射器２０の円形の第１エッジ２１に沿って又は該エッジの近傍に配置されるように構成されている。この特定の光修正部材３０は、反射器２０のフランジ２３に取り付けられるべき基部３３を有している。例えば、該光修正部材３０をフランジ２３に取り付ける一方法は、該フランジ２３の表面上に等間隔に分散配置された幾つかの突起、ロッド又はリベットを設けると共に、これら突起を受入するために基部３３に対応する貫通口を設けることである。このような取り付けが一旦なされたら、該光修正部材３０をフランジ２３上へ封止し又は固定するを方法を、例えば上記突起を基部３３に半田付けする又は上記突起の端部上に一種のボルトを設ける等により実行することができる。
【００５０】
好ましくは、光修正部材３０は、上記基部３３から前記主光軸１００に向かって且つ該主光軸に対して直角に、第１エッジ２１の光カットオフ領域に関係する領域にわたり延びる光修正エレメント３２を更に有する。これら光修正エレメント３２の縁部は前記第２エッジ３１となる。
【００５１】
光修正エレメント３２は、好ましくは、第１端３９'及び第２端３９"を各々持つ幾つかのギャップ３９又は透光領域（例えばガラス等の透明な固体材料である）により分離される。この場合、上記第１端３９'は、
−  上記第２端３９"より前記反射面２２に（又は基部３３に）近く、且つ、
−  第２端３９"より小さい。
【００５２】
結果として、第２端３９"を通過する光線よりも少ない非反射光線が第１端３９'を通過することになる。従って、当該光カットオフ領域における光は、該光修正部材３０の下流で滑らかにされる。
【００５３】
好ましくは、各ギャップ３９は第１端３９'から第２端３９"に向かって漸進的に幅広になる。それに応じて、当該光カットオフ領域における光の平滑化は改善される。
【００５４】
図２Ｂ又は図２Ｅにより図示する一例として、少なくとも１つのギャップ３９は完全な三角形として形成されている。
【００５５】
図２Ｃにより図示する他の例として、少なくとも１つのギャップ３９は、第１端３９'として丸められた頂点を備える三角形として形成される。
【００５６】
図２Ｅにより示される他の例として、少なくとも１つの光修正エレメント３２は、円の一部により制限された丸められた端部３１"を有する。
【００５７】
他の種類の形状のギャップ３９も、当該光修正部材３０の設計者により、所望の照明効果を得るように設計することができる。
【００５８】
他の例として又はギャップ３９を備える実施例の組み合わせで、少なくとも１つの光修正エレメント３２は、第１端３１'と該第１端３１'の反対側の第２端３１"とを有することができ、ここで、第１端３１'は、
−  上記第２端３１"より前記反射面２２に（又は基部３３に）近く、且つ、
−  第２端３１"より幅広である。
【００５９】
結果として、第２端３１"により修正される光線よりも多くの第１端３１'により修正される光線が存在する。従って、下流側の光カットオフ領域の光は滑らかにされる。
【００６０】
好ましくは、各光修正エレメント３２は第１端３１'から第２端３１"に向かって漸進的に幅が小さくされる。それに応じて、当該光カットオフ領域における光の平滑化は改善される。
【００６１】
図２Ｂに図示された一例として、少なくとも１つの光修正エレメント３２は完全な三角形として形成されている。
【００６２】
図２Ｃにより図示する他の例として、少なくとも１つの光修正エレメント３２は、第２端３１"として丸められた頂点を備える三角形として形成される。
【００６３】
図２Ｄにより示される他の例として、少なくとも１つの光修正エレメント３２は丸められた形状のものであり、該エレメントの端部３１"は円の一部により制限されている。
【００６４】
図２Ｅにより示される他の例として、少なくとも１つの光修正エレメント３２は、円の一部により制限された丸められた端部３１"を有する。
【００６５】
他の種類の形状の光修正エレメント３２も、当該光修正部材３０の設計者により、所望の照明効果を得るように設計することができる。
【００６６】
好ましくは、光修正エレメント３２は前記反射面２２から外方に、前記主光方向１００に対して０度〜９０度の範囲内の角度で延びるようにする（この場合、この角度的参照の原点は、主光軸１００とＬＥＤが固定された面との間の交差により定義される）。図３、４及び５は、光修正エレメント３２が主光方向１００に対して、各々、０度、４５度及び９０度であるような照明装置４０を示している。
【００６７】
図６に示された特別な実施例において、光修正部材３０は厚さ"ｔ"を有し、この厚さは主光軸１００に対して平行にとられている。好ましくは、"ｔ"は、過度に多くの光線を遮断し、従って当該システムの効率に対する影響を低減するために、"ｈ"より大幅に小さくなるように選定される。
【００６８】
図７Ａ及び７Ｂに示される他の特別な実施例において、光源アセンブリ１０は複数のＬＥＤ１１のアレイであり、各ＬＥＤは距離"ｈ"により等しく離隔されており、各ＬＥＤは"ｅ"なるサイズを有している。光修正部材３０は、光修正エレメント３２の少なくとも一部が、"ｅ"に等しい、"ｅ"と同様の又は"ｅ"に近い距離だけ隔てられると共に、"ｈ"に等しい、"ｈ"と同様の又は"ｈ"に近い長さを有するように構成される。
【００６９】
当該照明装置４０における斯かる種類の光修正部材３０の存在の結果は、光カットオフの滑らかさのみならず、図９Ａないし９Ｃを参照して後述するような当該光カットオフ領域における光の段差の消滅である（図９Ａないし９Ｃは、同一の照明装置４０の斜視上面図ではあるが、主光方向１００に対して３つの異なる視角又は方向におけるものを示す）。
【００７０】
光修正部材３０が無い場合、反射器２０の第１エッジ２１（図９Ａ〜９Ｃには図示せず）は、（ｉ）図９Ａの方向と図９Ｂの方向との間の方向位置において当該ＬＥＤアレイのうちの第１行のＬＥＤ１１を突然隠し、（ii）図９Ｂの方向と図９Ｃの方向との間の方向位置において当該ＬＥＤアレイのうちの第２行のＬＥＤ１１を突然隠し、（iii）図９Ｃの方向を越える方向位置において当該ＬＥＤアレイのうちの第３行のＬＥＤ１１を突然隠す。これらの３つの事象の結果、光カットオフ領域３に３つの光カットオフ４、５及び６が生じ（図１０Ｂの曲線１参照）、該光カットオフ領域に不快な光の段差が生じる。
【００７１】
ここで、図９Ａないし９Ｃに図示されたような当該照明装置１４における前記光修正部材３０の配設は、視角（又は方向）が変化した場合のＬＥＤの連続する行の間の遷移を、主光軸１００に対する視角（又は方向）が益々小さくなった場合に、ＬＥＤ１１の行から放出される非反射光の漸進的に益々少なくのものが第１エッジ２１の近くを通過するのを防止することにより可能にする。この過程が、図８により示されており、該図において、
−  図８（ａ）、８（ｂ）、８（ｃ）は、主光軸１００の周りの第１緯度においての、主光方向１００に漸進的に益々近くなる３つの異なる方向（又は視角）の各々における当該照明装置４０の見え方を表し、
−  図８（ｄ）、８（ｅ）、８（ｆ）は、主光軸１００の周りの第２緯度においての、主光方向１００に漸進的に益々近くなる３つの異なる方向（又は視角）の各々における当該照明装置４０の見え方を表し、
−  図８（ｇ）、８（ｈ）、８（ｉ）は、主光軸１００の周りの第３緯度においての、主光方向１００に漸進的に益々近くなる３つの異なる方向（又は視角）の各々における当該照明装置４０の見え方を表し、
−  図８（ｊ）、８（ｋ）、８（ｌ）は、主光軸１００の周りの第４緯度においての、主光方向１００に漸進的に益々近くなる３つの異なる方向（又は視角）の各々における当該照明装置４０の見え方を表す。
【００７２】
ここで、各緯度における当該照明装置４０の３つの見え方を互いに比較すると、ＬＥＤの可視面積（即ち、光修正エレメント３２により隠蔽されない面積）は、方向が主光方向１００に一層近くなる場合に、漸進的に大きくなることが分かる。このことは、当該光カットオフ領域においては、当該反射器２０から漸進的に多くの非反射光線が出射することを意味する。
【００７３】
この結果、光カットオフ４、５及び６が消滅するような、これら光カットオフの滑らかさが得られる（光修正部材３０が無い場合に得られる図１０Ｂの曲線１と比較して、光修正部材３０を備える場合に得られる図１０Ｂの結果的曲線２を参照されたい）。
【００７４】
本発明の一層特別な実施例において、光修正エレメント３２の少なくとも一部の面積は隣接するギャップ３９の面積と等しいか又は同様のものと定められる。
【００７５】
照明の結果が、図８により示されており、この場合において、
−  図８（ａ）、８（ｄ）、８（ｇ）及び８（ｊ）は、主光方向１００に対して第１方向（又は第１視角）における照明装置４０の見え方を、主光軸１００の周りの４つの異なる緯度において各々示しており、
−  図８（ｂ）、８（ｅ）、８（ｈ）及び８（ｋ）は、主光方向１００に対して第２方向（又は第２視角）における照明装置４０の見え方を、主光軸１００の周りの４つの異なる緯度において各々示しており、
−  図８（ｃ）、８（ｆ）、８（ｉ）及び８（ｊ）は、主光方向１００に対して第３方向（又は第３視角）における照明装置４０の見え方を、主光軸１００の周りの４つの異なる緯度において各々示している。
【００７６】
ここで、照明装置４０の上記３つの見え方を各方向に関して比較すると、ＬＥＤの見える面積（即ち、光修正エレメント３２により隠蔽されていない面積）は、主光軸１００の周りにおいて或る緯度から他の緯度へと同様となっている。このことは、一定の方向では、当該照明装置４０の周りの位置がどのようであっても、該照明装置４０の周りにおいて光は均一のままであることを意味する。その結果、照明すべき領域において照明は良くバランスされる。
【００７７】
他の例として、光修正エレメントの間の面積及びギャップは、所望の照明効果を得るために異なるように選択することができる。
【００７８】
以上、本発明を図面及び上記記載において詳細に図示及び説明したが、このような図示及び説明は限定するものではなくて解説的又は例示的であると見なされるべきである。即ち、本発明は開示された実施例に限定されるものではない。
【００７９】
例えば、本発明は、第１エッジ２１が円形及びＬＥＤアレイが正方形でなく、該第１エッジが正方形であり、且つＬＥＤが円形又は何らかの他の形状に配列された実施例において実施することもできる。更に、前記光修正エレメントは、必ずしも三角形である必要はなく、他の種類の形状を有することもできる。
【００８０】
また、本発明は、必ずしも複数の光源を備える照明装置４０に限定されるものではなく、単一の光源（例えば、１つのＬＥＤ）のみを有する照明装置４０に関するものでもある。特に、この光源により第１方向に放出される非反射光線の量は、該同じ光源により第２方向に放出される非反射光の量よりも大幅に小さくすることができ、これら２つの方向の間に光カットオフが存在し、従って、光修正部材３０の第２エッジ３１を、この光カットオフを漸進的に滑らかにするよう設計することができる。
【００８１】
当業者であれば、図面、開示及び添付請求項の精査により、請求項に記載された本発明を実施する際に、開示された実施例の他の変形例を理解し且つ実施することができるであろう。尚、請求項において、"有する"なる文言は他の構成要素又はステップを排除するものではなく、単数形は複数を排除するものではない。また、単一のプロセッサ又は他のユニットは、請求項に記載された幾つかの項目の機能を満たすことができる。また、特定の手段が相互に異なる従属請求項に記載されているという単なる事実は、これら手段の組み合わせを有利に使用することができないということを示すものではない。また、コンピュータプログラムは、光記憶媒体又は他のハードウェアと共に若しくは該ハードウェアの一部として供給される固体媒体等の適切な媒体で記憶／分配することができるのみならず、インターネット又は他の有線若しくは無線通信システムを介して等の、他の形態でも分配することができる。また、請求項における如何なる符号も、当該範囲を限定するものと見なしてはならない。
【図１】
2013524456.tif 000003
【図２Ａ】
2013524456.tif 000004
【図２Ｂ】
2013524456.tif 000005
【図２Ｃ】
2013524456.tif 000006
【図２Ｄ】
2013524456.tif 000007
【図２Ｅ】
2013524456.tif 000008
【図３】
2013524456.tif 000009
【図４】
2013524456.tif 000010
【図５】
2013524456.tif 000011
【図６】
2013524456.tif 000012
【図７Ａ】
2013524456.tif 000013
【図７Ｂ】
2013524456.tif 000014
【図８（ａ）】
2013524456.tif 000015
【図８（ｂ）】
2013524456.tif 000016
【図８（ｃ）】
2013524456.tif 000017
【図８（ｄ）】
2013524456.tif 000018
【図８（ｅ）】
2013524456.tif 000019
【図８（ｆ）】
2013524456.tif 000020
【図８（ｇ）】
2013524456.tif 000021
【図８（ｈ）】
2013524456.tif 000022
【図８（ｉ）】
2013524456.tif 000023
【図８（ｊ）】
2013524456.tif 000024
【図８（ｋ）】
2013524456.tif 000025
【図８（ｌ）】
2013524456.tif 000026
【図９Ａ】
2013524456.tif 000027
【図９Ｂ】
2013524456.tif 000028
【図９Ｃ】
2013524456.tif 000029
【図１０Ａ】
2013524456.tif 000030
【図１０Ｂ】
2013524456.tif 000031
【国際調査報告】
2013524456.tif 000032
2013524456.tif 000033
2013524456.tif 000034